(57)【特許請求の範囲】
【請求項１】
交差する二つの第１・第２被取付け面で構成される出隅部及びこの出隅部の一方の第２被取付け面とこれに交差する第３被取付け面とで構成される入隅部に沿って配設される長尺体を覆う化粧カバーであって、
前記出隅部を構成する第１・第２被取付け面に当接した状態で少なくとも一方の被取付け面に固定される第１取付け基材と、前記入隅部を構成する第２・第３被取付け面に当接した状態で少なくとも一方の被取付け面に固定される第２取付け基材と、前記第１取付け基材との間で出隅側の長尺体配設経路を覆う状態で当該第１取付け基材に対して外方側から脱着可能に取付けられる第１カバーと、前記第２取付け基材との間で入隅側の長尺体配設経路を覆う状態で当該第２取付け基材に対して外方側から脱着可能に取付けられる第２カバーとが備えられているとともに、前記第１カバーと第２カバーとの相対向する接続端部の一方には、第２被取付け面での長尺体配設経路に沿って相手側のカバーに伸縮移動自在に嵌合する延長カバー部が形成され、前記第１取付け基材と前記第２取付け基材とが、前記第２被取付け面の長尺体配設経路に沿って摺動状態で伸縮移動自在に構成されている化粧カバー。
【請求項２】
前記第１取付け基材と第２取付け基材との抜け出し移動を係止によって阻止する抜け止め係止手段が設けられている請求項１記載の化粧カバー。
【請求項３】
前記第２取付け基材には、前記第２被取付け面での長尺体配設経路に沿う係合溝が形成され、前記第１取付け基材には、前記係合溝に対して長尺体配設経路の長手方向から摺動自在に嵌合するガイド板が形成されている請求項１又は２記載に化粧カバー。
【請求項４】
前記係合溝が、前記第２取付け基材における前記第２被取付け面と対面する底面に窪み形成されている請求項３記載の化粧カバー。
【請求項５】
交差する二つの第１・第２被取付け面で構成される出隅部及びこの出隅部の一方の第２被取付け面とこれに交差する第３被取付け面とで構成される入隅部に沿って配設される長尺体を覆う出入隅用化粧カバーの両接続端部に、取付け基材を備えた直線用化粧カバーが接続されている化粧カバー構造であって、
前記出入隅用化粧カバーには、前記出隅部を構成する少なくとも一方の被取付け面に固定される第１取付け基材と、前記入隅部を構成する少なくとも一方の被取付け面に固定される第２取付け基材と、前記出隅側の長尺体配設経路を覆う状態で第１取付け基材に脱着可能に取付けられる第１カバーと、前記入隅側の長尺体配設経路を覆う状態で第２取付け基材に脱着可能に取付けられる第２カバーとが備えられているとともに、前記第１カバーと第２カバーとの相対向する接続端部の一方には、第２被取付け面での長尺体配設経路に沿って相手側のカバーに伸縮移動自在に嵌合する延長カバー部が形成され、前記第１取付け基材と前記第２取付け基材とが、前記第２被取付け面の長尺体配設経路に沿って摺動状態で伸縮移動自在に構成されている化粧カバー構造。
【発明の詳細な説明】
【技術分野】
【０００１】
本発明は、例えば、建築物の壁面に沿って配設される冷媒管やドレン管、ケーブル等の長尺体を覆う化粧カバーで、詳しくは、交差する二つの第１・第２被取付け面で構成される出隅部及びこの出隅部の一方の第２被取付け面とこれに交差する第３被取付け面とで構成される入隅部に沿って配設される長尺体を覆う化粧カバーに関する。
【背景技術】
【０００２】
従来の化粧カバーでは、前記出隅部を構成する第１・第２被取付け面に固定される第１取付け基材と、出隅側の長尺体配設経路を覆う状態で前記第１取付け基材に脱着可能に取付けられる第１カバーとをもって出隅用化粧カバーが構成されているとともに、前記入隅部を構成する第２・第３被取付け面に固定される第２取付け基材と、入隅側の長尺体配設経路を覆う状態で前記第２取付け基材に脱着可能に取付けられる第２カバーとをもって入隅用化粧カバーが構成されている（特許文献１参照）。
【０００３】
さらに、前記第２被取付け面において出隅用化粧カバーと入隅用化粧カバーとが相対向する両接続口部にわたって、第１・第２取付け基材に対して長尺体配設経路の長手方向から嵌合接続可能な直線状の中間接続用の第３取付け基材と、該第３取付け基材に対して脱着自在で、かつ、第１・第２カバーに対して長尺体配設経路の長手方向から嵌合接続可能な直線状の中間接続用の第３カバーとをもって構成される直線用化粧カバーが設けられている（特許文献２参照）。
【０００４】
前記出隅用化粧カバーの第１取付け基材及び入隅用化粧カバーの第２取付け基材には、これに嵌合される直線用化粧カバーの第３取付け基材の端面との当接によって設定接続深さに規制する当り部が設けられているとともに、前記出隅用化粧カバーの第１カバー及び入隅用化粧カバーの第２カバーにも、これに嵌合される直線用化粧カバーの第３カバーの端面との当接によって設定接続深さに規制する当り部が設けられている。
【０００５】
【特許文献１】特開２００６−２９２００２号公報
【特許文献２】特開２００６−３００１５１号公報
【発明の概要】
【発明が解決しようとする課題】
【０００６】
従来の化粧カバーでは、出隅用化粧カバーと入隅用化粧カバー及び直線用化粧カバーとの組み合わせで構成されているため、前記第１被取付け面から第３被取付け面までの段差が施工現場において変化すると、その都度、この段差である第２被取付け面での長尺体配設経路長さに応じて直線用化粧カバーを構成する第３取付け基材及び第３カバーの長さを変更する必要があり、作業性の低下を招来していた。
【０００７】
特に、従来では、出隅用化粧カバー及び入隅用化粧カバーとして単独で使用できるように、第１取付け基材及び第１カバーにおける第１・第２被取付け面での各長さと、第２取付け基材及び第２カバーにおける第２・第３被取付け面での各長さがそれぞれ同一に構成されているため、出隅用化粧カバー及び入隅用化粧カバーにおける第２被取付け面での張り出し量が多くなり、前記段差が小さい施工現場では使用できない事態が発生していた。
【０００８】
本発明は、上述の実状に鑑みて為されたものであって、その主たる課題は、前記第１被取付け面から第３被取付け面までの段差に対する適用範囲が広く且つ施行現場での作業性に優れた化粧カバー及び化粧カバー構造を提供する点にある。
【課題を解決するための手段】
【０００９】
交差する二つの第１・第２被取付け面で構成される出隅部及びこの出隅部の一方の第２被取付け面とこれに交差する第３被取付け面とで構成される入隅部に沿って配設される長尺体を覆う化粧カバーであって、
前記出隅部を構成する少なくとも一方の被取付け面に固定される第１取付け基材と、前記入隅部を構成する少なくとも一方の被取付け面に固定される第２取付け基材と、前記出隅側の長尺体配設経路を覆う状態で第１取付け基材に脱着可能に取付けられる第１カバーと、前記入隅側の長尺体配設経路を覆う状態で第２取付け基材に脱着可能に取付けられる第２カバーとが備えられているとともに、前記第１カバーと第２カバーとの相対向する接続端部の一方には、第２被取付け面での長尺体配設経路に沿って相手側のカバーに伸縮移動自在に嵌合する延長カバー部が形成されている。
【００１０】
上記構成によれば、第１・第２被取付け面の少なくとも一方に固定された第１取付け基材に対して第１カバーを取付け、第２・第３被取付け面の少なくとも一方に固定された第２取付け基材に対して第２カバーを取付けることにより、長尺体配設経路の出隅側及び入隅側を覆うことができるとともに、前記第１カバーと第２カバーとの相対向する接続端部の一方に形成された延長カバー部により、第１カバーと第２カバーとの対向面間に位置する長尺体配設経路部分を覆うことができる。
【００１１】
しかも、前記延長カバー部は、第２被取付け面での長尺体配設経路に沿って相手側のカバーに伸縮移動自在に嵌合しているため、前記第１被取付け面から第３被取付け面までの段差が異なる場合でも、前記両カバーを両取付け基材に取付けた時点で延長カバー部と相手側カバーとの嵌合位置関係が自動的に変更されるため、段差の相違による特別な操作は不要となる。
【００１２】
従って、前記第１被取付け面から第３被取付け面までの段差寸法の差を、延長カバー部と相手側カバーとの伸縮で吸収することができるばかりでなく、そのための特別な操作が不要になるから、施行現場での作業性を高めながら長尺体配設経路の段差に対する適用範囲を拡大することができる。
【００１３】
前記第１取付け基材と第２取付け基材との相対向する部位に、前記第２被取付け面での長尺体配設経路に沿って両取付け基材を伸縮移動自在に係合する伸縮係合手段が設けられている。
【００１４】
上記構成によれば、前記伸縮係合手段により、第２被取付け面での長尺体配設経路に沿った配置関係を維持したまま第１取付け基材と第２取付け基材とを伸縮移動させることができるから、前記第１被取付け面から第３被取付け面までの段差寸法の差に関係なく、被取付け面の出隅部及び入隅部に対する両取付け基材の取付けを能率良く的確に行うことができる。
【００１５】
前記第１取付け基材と第２取付け基材との相対向する部位に、伸縮移動自在に係合された両取付け基材の抜け出し移動を係止によって阻止する抜け止め係止手段が設けられている。
【００１６】
上記構成によれば、前記第２被取付け面での長尺体配設経路に沿った配置関係を維持したまま第１取付け基材と第２取付け基材とを伸縮移動自在に構成しながらも、両取付け基材の抜け出し移動を阻止することができるから、両取付け基材を一体物として便利に取り扱うことができる。
【００１７】
前記第１カバーの接続端部は、第１被取付け面を通る平面に沿って形成されているとともに、前記第２カバーの接続端部は、第３被取付け面と平行な第２カバーの天井面と略等しい高さ位置又はそれよりも高い位置で第３被取付け面と略平行に形成され、さらに、前記第２カバーの接続端部に、第１カバーの接続端部を通して伸縮移動自在に嵌合する前記延長カバー部が一体形成されている。
【００１８】
上記構成によれば、前記両カバーの第２被取付け面での長尺体配設経路に沿う方向での高さを低く抑えるこができるから、前記第１被取付け面から第３被取付け面までの段差に対する吸収調節機能を充分確保しながらも、使用可能な最小段差側への適用範囲を拡大することができる。
【００１９】
前記第１取付け基材が、第１被取付け面に当接する第１取付け板部と第２被取付け面に当接する第２取付け板部とを一体形成して構成されているとともに、前記第２取付け基材が、第２被取付け面に当接する第１取付け板部と第３被取付け面に当接する第２取付け板部とを一体形成して構成され、前記伸縮係合手段が、第１取付け基材の第２取付け板部と第２取付け基材の第１取付け板部との相対向する部位に設けられている。
【００２０】
上記構成によれば、前記伸縮係合手段により、第２被取付け面での長尺体配設経路に沿った配置関係を維持したまま第１取付け基材の第２取付け板部と第２取付け基材の第１取付け板部とを伸縮移動させることができるとともに、両取付け基材を第１・第２被取付け面及び第２・第３被取付け面に当て付けることができるから、前記第１被取付け面から第３被取付け面までの段差寸法の差に関係なく、被取付け面の出隅部及び入隅部に対する両取付け基材の取付けを能率良く正確に行うことができる。
【００２１】
前記伸縮係合手段を構成するに、前記第２取付け基材の第１取付け板部の底面に、前記第２被取付け面での長尺体配設経路に沿う係合溝を形成するとともに、前記第１取付け基材の第２取付け板部には、前記係合溝に対して長尺体配設経路の長手方向から摺動自在に嵌合する下側ガイド板と、前記第２取付け基材の第１取付け板部の上面に沿って長尺体配設経路の長手方向に摺動する上側ガイド板とが形成されている。
【００２２】
上記構成によれば、被取付け面の出隅部及び入隅部に対する両取付け基材の取付けを能率良く正確に行うことができるばかりでなく、前記第２取付け基材の第１取付け板部の底面に形成された係合溝に嵌合する下側ガイド板と、第２取付け基材の第１取付け板部の上面に沿って摺動する上側ガイド板とにより、第２取付け基材の第１取付け板部を挟み込み保持することができ、取り扱いの容易化と取付け精度の向上とを図ることができる。
【００２３】
前記抜け止め係止手段が、前記第１取付け基材の上側ガイド板の先端に設けた係止部と、前記第２取付け基材の第１取付け板部の上面における前記係止部の移動経路上に設けられた被係止部とから構成されている。
【００２４】
上記構成によれば、前記伸縮係合手段の上側ガイド板を利用して抜け出し阻止手段を構造面及び製造コスト面で有利に構成することができる。
そして、本発明による第１の特徴構成は、交差する二つの第１・第２被取付け面で構成される出隅部及びこの出隅部の一方の第２被取付け面とこれに交差する第３被取付け面とで構成される入隅部に沿って配設される長尺体を覆う化粧カバーであって、
前記出隅部を構成する第１・第２被取付け面に当接した状態で少なくとも一方の被取付け面に固定される第１取付け基材と、前記入隅部を構成する第２・第３被取付け面に当接した状態で少なくとも一方の被取付け面に固定される第２取付け基材と、前記第１取付け基材との間で出隅側の長尺体配設経路を覆う状態で当該第１取付け基材に対して外方側から脱着可能に取付けられる第１カバーと、前記第２取付け基材との間で入隅側の長尺体配設経路を覆う状態で当該第２取付け基材に対して外方側から脱着可能に取付けられる第２カバーとが備えられているとともに、前記第１カバーと第２カバーとの相対向する接続端部の一方には、第２被取付け面での長尺体配設経路に沿って相手側のカバーに伸縮移動自在に嵌合する延長カバー部が形成され、前記第１取付け基材と前記第２取付け基材とが、前記第２被取付け面の長尺体配設経路に沿って摺動状態で伸縮移動自在に構成されている点にある。
本発明による第２の特徴構成は、前記第１取付け基材と第２取付け基材との抜け出し移動を係止によって阻止する抜け止め係止手段が設けられている点にある。
本発明による第３の特徴構成は、前記第２取付け基材には、前記第２被取付け面での長尺体配設経路に沿う係合溝が形成され、前記第１取付け基材には、前記係合溝に対して長尺体配設経路の長手方向から摺動自在に嵌合するガイド板が形成されている点にある。
本発明による第４の特徴構成は、前記係合溝が、前記第２取付け基材における前記第２被取付け面と対面する底面に窪み形成されている点にある。
本発明による第５の特徴構成は、交差する二つの第１・第２被取付け面で構成される出隅部及びこの出隅部の一方の第２被取付け面とこれに交差する第３被取付け面とで構成される入隅部に沿って配設される長尺体を覆う出入隅用化粧カバーの両接続端部に、取付け基材を備えた直線用化粧カバーが接続されている化粧カバー構造であって、
前記出入隅用化粧カバーには、前記出隅部を構成する少なくとも一方の被取付け面に固定される第１取付け基材と、前記入隅部を構成する少なくとも一方の被取付け面に固定される第２取付け基材と、前記出隅側の長尺体配設経路を覆う状態で第１取付け基材に脱着可能に取付けられる第１カバーと、前記入隅側の長尺体配設経路を覆う状態で第２取付け基材に脱着可能に取付けられる第２カバーとが備えられているとともに、前記第１カバーと第２カバーとの相対向する接続端部の一方には、第２被取付け面での長尺体配設経路に沿って相手側のカバーに伸縮移動自在に嵌合する延長カバー部が形成され、前記第１取付け基材と前記第２取付け基材とが、前記第２被取付け面の長尺体配設経路に沿って摺動状態で伸縮移動自在に構成されている点にある。
【図面の簡単な説明】
【００２５】
【図１】本願発明の第１実施形態を示す空調設備の化粧カバー構造の断面側面図
【図２】本願発明の出入隅用化粧カバーの側面図
【図３】図２におけるII-II線視における平面図
【図４】図２におけるIV-IV線視における底面図
【図５】図２におけるV-V線断面図
【図６】第１取付け基材と第２取付け基材との連結状態を示す底面図
【図７】第１取付け基材と第２取付け基材との連結状態を示す平面図
【図８】第１取付け基材の拡大側面図
【図９】第１取付け基材の拡大右側面図
【図１０】第２取付け基材の拡大側面図
【図１１】第２取付け基材の拡大右側面図
【図１２】第２取付け基材の拡大左側面図
【図１３】第１カバーの拡大断面側面図
【図１４】第１カバーの拡大右側面図
【図１５】第２カバーの拡大断面側面図
【図１６】第２カバーの拡大右側面図
【図１７】第２カバーの拡大平面図
【発明を実施するための形態】
【００２６】
〔第１実施形態〕
図１は、建物の室内側壁面のうち、出隅部を形成する状態で直交（交差の一例）する二つの第１・第２壁面（第１・第２被取付け面の一例）Ｗ１，Ｗ２と、入隅部を形成する状態で前記第２壁面Ｗ２に直交（交差の一例）する第３壁面（第３被取付け面の一例）Ｗ３のうち、第３壁面Ｗ３に形成された貫通孔１を通して室外側から導入された長尺体の一例である可撓性のある空調用配管Ｐを入隅及び出隅に沿って第１壁面Ｗ１に取付けられた空調用室内機Ａにまで配設してある空調設備の一例を示す。
【００２７】
この空調設備においては、前記空調用配管Ｐのうち、出隅部から入隅部にかけてのクランク状の配管部分を覆う合成樹脂製の出入隅用化粧カバーＢと、前記貫通孔１から室内側に導出された曲がり配管部分を覆う合成樹脂製のコーナー用化粧カバーＣと、このコーナー用化粧カバーＣと出入隅用化粧カバーＢとの間の直線状の配管部分及び出入隅用化粧カバーＢと空調用室内機Ａとの間の直線状の配管部分をそれぞれ覆う合成樹脂製の直線用化粧カバーＤとが配設されている。
【００２８】
前記出入隅用化粧カバーＢは、図２〜図５に示すように、前記第１壁面Ｗ１に当接する第１取付け板部２Ａと第２壁面Ｗ２に当接する第２取付け板部２ＢとをＬ字状に一体成形してある合成樹脂製の第１取付け基材２と、前記第２壁面Ｗ２に当接する第１取付け板部３Ａと第３壁面Ｗ３に当接する第２取付け板部３ＢとをＬ字状に一体成形してある合成樹脂製の第２取付け基材３と、前記出隅部側の配管配設経路（長尺体配設経路の一例）を覆う状態で第１取付け基材２に脱着可能に取付けられる合成樹脂製の第１カバー４と、前記入隅部側の配管配設経路を覆う状態で第２取付け基材３に脱着可能に取付けられる合成樹脂製の第２カバー５とから構成されている。
【００２９】
前記第１カバー４の両接続端部４ａ，４ｂと第２カバー５の両接続端部５ａ，５ｂとのうち、第１カバー４の第２壁面Ｗ２側の接続端部４ｂと相対向する第２カバー５の接続端部５ａには、第２壁面Ｗ２での配管配設経路に沿って相手側の第１カバー４に伸縮移動自在に嵌合（内嵌）する延長カバー部６が一体形成されているとともに、前記第１取付け基材２の第２取付け板部２Ｂと第２取付け基材３の第１取付け板部３Ａとの相対向する部位には、前記第２壁面Ｗ２での配管配設経路に沿って両取付け基材２，３を伸縮移動自在に係合する伸縮係合手段Ｅと、伸縮移動自在に係合された両取付け基材２，３の抜け出し移動を係止によって阻止する抜け止め係止手段Ｆが設けられている。
【００３０】
前記伸縮係合手段Ｅを構成するに、図３、図５〜図７に示すように、前記第２取付け基材３の第１取付け板部３Ａの底面（第２壁面Ｗ２に対面する裏面）３ａにおける幅方向中央部に、前記第２壁面Ｗ２での配管配設経路に沿う係合溝７が内方側に窪み形成されているとともに、前記第１取付け基材２の第２取付け板部２Ｂには、前記係合溝７に対して配管配設経路の長手方向から摺動自在に嵌合する下側ガイド板８と、該下側ガイド板８の幅方向両側脇において、前記第２取付け基材３の第１取付け板部３Ａの上面（配管配設経路に臨む表面）３ｂに沿って配管配設経路の長手方向に摺動する左右一対の上側ガイド板９が形成されている。
【００３１】
換言すれば、前記第１取付け基材２の第２取付け板部２Ｂは、幅方向中央に位置する下側ガイド板８と左右一対の上側ガイド板９とから構成され、そのうち、前記下側ガイド板８の底面８ａが第２壁面Ｗ２に当接するように構成されている。
【００３２】
前記抜け止め係止手段Ｆは、前記第１取付け基材２の両上側ガイド板９の先端から幅方向外方側に突出する状態で一体形成された係止部１０と、前記第２取付け基材３の第１取付け板部３Ａの上面３ｂの端部側における前記両係止部１０の移動経路上に一体形成された逆Ｌ字状の一対の被係止部１１とから構成されている。
【００３３】
図８、図９に示すように、前記第１取付け基材２の第１取付け板部２Ａの幅方向両側部に形成された台形状の側板部２Ｃには、幅方向外方側及び第１壁面Ｗ１側に向かって開口する係合凹部２ａが形成されているとともに、前記第１取付け板部２Ａの端面の左右中央位置には、直線用化粧カバーＤの取付け基材（図示せず）の底面における幅方向中央位置に形成されている溝部に対して配管配設経路長手方向から係合可能な位置合せ用突起２ｂが形成され、さらに、前記第１取付け板部２Ａの左右中央位置を通る中間位置には、第１壁面Ｗ１にビス止めするための取付け孔２ｄが形成されている。
【００３４】
前記第１カバー４は、図１３、図１４に示すように、前記第１壁面Ｗ１に沿う第１天井板部４Ａと第２壁面Ｗ２に沿う第２天井板部４Ｂ及びこれらの左右両側縁に連続する一対の側板部４Ｃとを一体成形して構成され、前記両側板部４Ｃの内面には、該側板部４Ｃの弾性変形により前記第１取付け基材２の係合凹部２ａに対して弾性的に係合可能な三つの三角状板部からなる係合凸部４ｄと、該係合凸部４ｄと係合凹部２ａとの上下方向での相対離脱移動を側板部４Ｃとの接当によって阻止する離脱規制部４ｅとが形成されているとともに、前記第１カバー４の両接続端部４ａ，４ｂのうち、第２カバー５の第２壁面Ｗ２側の接続端部５ａと相対向する接続端部４ｂが第１壁面Ｗ１を通る平面に沿って形成されている。
【００３５】
図６、図７、図１０〜図１２に示すように、前記第２取付け基材３の第１取付け板部３Ａの上面３ｂには、前記係合溝７を形成するために配管配設経路側に突出する断面コの字状の突条３ｅが隆起形勢され、この突条３ｄの左右両側面３ｅと前記両被係止部１１との間に、第１取付け基材２の第２取付け板部２Ｂに形成された両上側ガイド板９が摺接移動自在に配置され、前記両被係止部１１の脚部分が、前記両上側ガイド板９の摺接移動を案内するガイド面に構成されているとともに、前記第１取付け板部３Ａの幅方向両側部及び第２取付け板部３Ｂの幅方向両側部に連続形成された側板部３Ｃの配管配設経路長手方向における両端部には、幅方向外方側及び第２・第３壁面Ｗ２・３側に向かって開口する係合凹部３ｆが形成されている。
【００３６】
また、前記第２取付け板部３Ｂの端面の左右中央位置には、直線用化粧カバーＤの取付け基材（図示せず）の底面における幅方向中央位置に形成されている溝部に対して配管配設経路長手方向から係合可能な位置合せ用突起３ｇが形成され、さらに、前記第２取付け板部３Ｂの左右中央位置を通る中間位置には、第３壁面Ｗ３にビス止めするための取付け孔３ｈが形成されている。
【００３７】
前記第２カバー５は、図１５〜図１７に示すように、第２壁面Ｗ２の一部及び第３壁面Ｗ３に沿う天井板部５Ａとこれの左右両側縁に連続する一対の側板部５Ｂとを一体成形して構成され、この天井板部５Ａ及び前記両側板部５Ｂの第２壁面Ｗ２側に回り込む弧状角部分の端縁となる前記接続端部５ａは、天井板部５Ａよりも少し高い位置で第３壁面Ｗ３と略平行に形成されているとともに、この接続端部５ａに、第１カバー４の内面形状が外面形状となる前記延長カバー部６が、第１カバー４の板厚分だけ段落ち状態で一体形成されている。
【００３８】
また、前記第２カバー５の両側板部５Ｂの内面には、該側板部５Ｂの弾性変形により前記第２取付け基材３の係合凹部３ｆに対して係脱自在に係合可能な係合凸部５ｃが形成されているとともに、前記延長カバー部６が、第２壁面Ｗ２に沿う天井板部６Ａとこれの左右両側縁に連続する一対の側板部６Ｂとを一体成形して構成されている。
【００３９】
〔その他の実施形態〕
（１）上述の第１実施形態では、前記第１取付け基材２の第１取付け板部２Ａに、第１壁面Ｗ１にビス止めするための取付け孔２ｄを形成したが、この取付け孔２ｄを第２取付け板部２Ｂにのみに形成してもよく、又は、両取付け板部２Ａ，２Ｂに取付け孔２ｄを形成してもよい。
更に、上述の第１実施形態では、前記第１取付け基材２を、前記第１壁面Ｗ１に当接する第１取付け板部２Ａと第２壁面Ｗ２に当接する第２取付け板部２ＢとをＬ字状に一体成形して構成したが、前記第１取付け板部２Ａ又は第２取付け板部２Ｂの何れか一方から構成してもよい。
【００４０】
（２）上述の第１実施形態では、前記第２取付け基材３の第２取付け板部３Ｂに、第３壁面Ｗ３にビス止めするための取付け孔３ｈを形成したが、この取付け孔３ｈを第１取付け板部３Ａにのみに形成してもよく、又は、両取付け板部３Ａ，３Ｂに取付け孔３ｈを形成してもよい。
更に、上述の第１実施形態では、前記第２取付け基材３を、前記第２壁面Ｗ２に当接する第１取付け板部３Ａと第３壁面Ｗ３に当接する第２取付け板部３ＢとをＬ字状に一体成形して構成したが、第１取付け板部３Ａ又は第２取付け板部３Ｂの何れか一方から構成してもよい。
【００４１】
（３）上述の第１実施形態では、前記第１カバー４の第２壁面Ｗ２側の接続端部４ｂと相対向する第２カバー５の接続端部５ａに、第２壁面Ｗ２での配管配設経路に沿って相手側の第１カバー４に伸縮移動自在に嵌合する延長カバー部６を形成したが、前記第１カバー４の第２壁面Ｗ２側の接続端部４ｂに、第２壁面Ｗ２での配管配設経路に沿って相手側の第２カバー５に伸縮移動自在に嵌合する延長カバー部６を形成してもよい。
【００４２】
（４）前記第１取付け基材２の第２取付け板部２Ｂと第２取付け基材３の第１取付け板部３Ａとの相対向する部位に設けられる伸縮係合手段Ｅとしては、前記第２壁面Ｗ２での配管配設経路に沿って両取付け基材２，３を伸縮移動自在に係合案内することのできるものであれば、いかなる係合構造に構成してもよい。
【００４３】
（５）前記第１取付け基材２の第２取付け板部２Ｂと第２取付け基材３の第１取付け板部３Ａとの相対向する部位に設けられる抜け止め係止手段Ｆとしては、伸縮移動自在に係合された両取付け基材２，３の抜け出し移動を係止によって阻止することのできるものであれば、いかなる係合構造に構成してもよい。
【符号の説明】
【００４４】
Ｅ        伸縮係合手段
Ｆ        抜け止め係止手段
Ｐ        長尺体（空調用配管）
Ｗ１      第１被取付け面（第１壁面）
Ｗ２      第２被取付け面（第２壁面）
Ｗ３      第３被取付け面（第３壁面）
２        第１取付け基材
２Ａ      第１取付け板部
２Ｂ      第２取付け板部
３        第２取付け基材
３Ａ      第１取付け板部
３Ｂ      第２取付け板部
４        第１カバー
５        第２カバー
６        延長カバー部
７        係合溝
８        下側ガイド板
９        上側ガイド板９
１０      係止部
１１      被係止部
【図１】
0005474161.tif 000002
【図２】
0005474161.tif 000003
【図３】
0005474161.tif 000004
【図４】
0005474161.tif 000005
【図５】
0005474161.tif 000006
【図６】
0005474161.tif 000007
【図７】
0005474161.tif 000008
【図８】
0005474161.tif 000009
【図９】
0005474161.tif 000010
【図１０】
0005474161.tif 000011
【図１１】
0005474161.tif 000012
【図１２】
0005474161.tif 000013
【図１３】
0005474161.tif 000014
【図１４】
0005474161.tif 000015
【図１５】
0005474161.tif 000016
【図１６】
0005474161.tif 000017
【図１７】
0005474161.tif 000018